(57)【要約】【課題】既設枠より室内側に構造体が設けられていない場合であっても、既設窓を改装することが可能な改装窓構造を提供する。【解決手段】構造体に取り付けられた既設枠により形成され室内外を連通する開口の内周側に設けられる新設枠を備える改装窓構造であって、前記既設枠の見込み幅の範囲内において当該既設枠または前記構造体と連結される第一連結部と、前記既設枠よりも室内側にて前記新設枠と連結される第二連結部と、を有するアタッチメントを介して前記新設枠が取り付けられる。【選択図】図３
2019157383.tif 000002
【特許請求の範囲】
【請求項１】
構造体に取り付けられた既設枠により形成され室内外を連通する開口の内周側に設けられる新設枠を備える改装窓構造であって、
前記既設枠の見込み幅の範囲内において当該既設枠または前記構造体と連結される第一連結部と、
前記既設枠よりも室内側にて前記新設枠と連結される第二連結部と、
を有するアタッチメントを介して前記新設枠が取り付けられることを特徴とする改装窓構造。
【請求項２】
請求項１に記載の改装窓構造であって、
前記第一連結部は、前記既設枠または前記構造体にビスにより固定されており、
前記アタッチメントは、前記ビスより前記開口の内周側に位置する見込み面を有していることを特徴とする改装窓構造。
【請求項３】
請求項１または請求項２に記載の改装窓構造であって、
前記アタッチメントは、前記既設枠と係合して見込み方向の移動が規制される位置決め部を有していることを特徴とする改装窓構造。
【請求項４】
請求項１乃至請求項３のいずれかに記載の改装窓構造であって、
前記既設枠の室内側の部位と前記改装枠の室内側の部位とを繋ぐ防水シートを有し、
前記防水シートは前記既設枠及び前記新設枠に各々接着されていることを特徴とする改装窓構造。
【請求項５】
請求項４に記載の改装窓構造であって、
前記防水シートの一方の端部は、前記新設枠と前記第二連結部とを連結するビスと前記新設枠の上を覆って接着され、
前記防水シートの他方の端部は、前記第二連結部に螺合されている前記ビスの先端側を回り込んで前記既設枠と接着されており、
前記アタッチメントは、前記ビスの先端と前記防水シートとの間隔を保つ隔離片を有することを特徴とする改装窓構造。
【請求項６】
請求項５に記載の改装窓構造であって、
前記アタッチメントは、見込み方向と交差する交差方向に沿う折り取り部を有していることを特徴とする改装窓構造。
【発明の詳細な説明】
【技術分野】
【０００１】
本発明は、既設枠により形成される開口内に設けられる新設枠を有する改装窓構造に関する。
【背景技術】
【０００２】
既設枠により形成される開口内に設けられる新設枠を備える改装用建具としては、例えば、マンションなどのビル系の建物に設けられている既設枠体の内周面に取り付けられる新設枠を備えた改装サッシが知られている（例えば、特許文献１参照）。
【先行技術文献】
【特許文献】
【０００３】
【特許文献１】特開２０１５−１２４５１７号公報
【発明の概要】
【発明が解決しようとする課題】
【０００４】
ビル系建物用の新設サッシは、ビル全体の窓を一括で改装するため、一戸建て住宅の改装窓より発注から納品までに時間がかかり、また、強度が高いため一戸建て住宅の改装窓より高価である。すなわち、改装を望む者にとっては、時期的な負担と費用的な負担とが余儀なくされる。また、取り寄せが容易で安価な改装窓の新設建具としては、一戸建て住宅用の新設建具がある。しかしながら、一戸建て住宅用の新設建具の新設枠は、既設枠よりも室内側にて固定されるが、ビル系建物のように既設枠の室内側に構造体が設けられていない建物等には、一戸建て住宅の改装窓用の新設建具のように、既設枠よりも室内側にて固定される新設建具を用いることはできなかった。
【０００５】
本発明は、かかる課題に鑑みてなされたものであり、その目的とするところは、既設枠より室内側に構造体が設けられていない場合であっても、既設窓を改装することが可能な改装窓構造を提供することにある。
【課題を解決するための手段】
【０００６】
かかる目的を達成するために本発明の改装窓構造は、構造体に取り付けられた既設枠により形成され室内外を連通する開口の内周側に設けられる新設枠を備える改装窓構造であって、前記既設枠の見込み幅の範囲内において当該既設枠または前記構造体と連結される第一連結部と、前記既設枠よりも室内側にて前記新設枠と連結される第二連結部と、を有するアタッチメントを介して前記新設枠が取り付けられることを特徴とする改装窓構造である。
【０００７】
既設枠の見込み幅の範囲には構造体に取り付けられている既設枠が必ず存在する。このため、上記改装窓構造によれば、アタッチメントは、少なくとも既設枠を介して構造体に必ず連結される。また、新設枠は、既設枠よりも室内側にてアタッチメントと連結されている。このため、既設枠の見込み幅の範囲に、固定部を配置することができない新設枠を、アタッチメントを介することにより既設枠が備えられている構造体と強固に接合することが可能である。すなわち、既設枠より室内側に構造体が設けられていない場合であっても、既設窓を改装することが可能な改装窓構造を提供することが可能である。このため、室内側に固定部が設けられている安価な一戸建て住宅の改装枠を備えた改装用建具を用いて改装することによりコストを低減することが可能である。
【０００８】
かかる改装窓構造であって、前記第一連結部は、前記既設枠または前記構造体にビスにより固定されており、前記アタッチメントは、前記ビスより前記開口の内周側に位置する見込み面を有していることが望ましい。
【０００９】
このような改装窓構造によれば、アタッチメントの第一連結部を既設枠または構造体に固定しているビスより開口の内周側に見込み面が形成されているので、見込み面に沿わせて新設枠を開口の内周側に挿入して容易に配置することが可能である。
【００１０】
かかる改装窓構造であって、前記アタッチメントは、前記既設枠と係合して見込み方向の移動が規制される位置決め部を有していることが望ましい。
このような改装窓構造によれば、アタッチメントは、既設枠と係合して見込み方向の移動が規制される位置決め部を有しているので、見込み方向における適正な位置にアタッチメントを容易に配置することが可能である。
【００１１】
かかる改装窓構造であって、前記既設枠の室内側の部位と前記改装枠の室内側の部位とを繋ぐ防水シートを有し、前記防水シートは前記既設枠及び前記新設枠に各々接着されていることが望ましい。
【００１２】
このような改装窓構造によれば、改装窓構造を構成する既設枠と新設枠との間は防水シートにより繋がっているので、既設枠と新設枠との間からの水の浸入を防止することが可能である。また、既設枠と新設枠とはシート材が接着されて繋がっているので、シート材を接着するだけで容易に水密・気密を確保することが可能である。
【００１３】
かかる改装窓構造であって、前記防水シートの一方の端部は、前記新設枠と前記第二連結部とを連結するビスと前記新設枠の上を覆って接着され、前記防水シートの他方の端部は、前記第二連結部に螺合されている前記ビスの先端側を回り込んで前記既設枠と接着されており、前記アタッチメントは、前記ビスの先端と前記防水シートとの間隔を保つ隔離片を有することが望ましい。
【００１４】
このような改装窓構造によれば、一方の端部が新設枠に接着され、第二連結部に螺合されているビスの先端側を回り込んで既設枠と接着されている防水シートは、アタッチメントに設けられた隔離片によりビスの先端との間隔が保たれているので、ビスの先端により防水シートは損傷されない。このため、高い止水性を備えることが可能である。
【００１５】
かかる改装窓構造であって、前記アタッチメントは、見込み方向と交差する交差方向に沿う折り取り部を有していることが望ましい。
【００１６】
このような改装窓構造によれば、アタッチメントは見込み方向と交差する交差方向に沿う折り取り部を有しているので、折り取り部に沿って隔離片、及び、アタッチメントの一部を折り取ることが可能である。このため、ビスの先端から防水シートを隔離する必要がない場合や、アタッチメントの見込み方向の長さを調節する必要がある場合には、折り取り部に沿って折り取ることにより隔離片を容易に切除すること、また、アタッチメントの見込み方向の長さを容易に調節することが可能である。よって、汎用性が高いアタッチメントを備えた改装窓構造を提供することが可能である。
【発明の効果】
【００１７】
本発明によれば、既設枠より室内側に構造体が設けられていない場合であっても、既設窓を改装することが可能な改装窓構造を提供することが可能である。
【図面の簡単な説明】
【００１８】
【図１】本実施形態に係る改装窓構造を示す縦断面図である。
【図２】本実施形態に係る改装窓構造を示す横断面図である。
【図３】図１のＡ部の拡大図である。
【図４】図１のＢ部の拡大図である。
【図５】図２のＣ部の拡大図である。
【図６】改装窓構造の変形例示す横断面図である。
【発明を実施するための形態】
【００１９】
以下、本発明の一実施形態に係る改装窓構造について図面を参照して説明する。
本実施形態の改装窓構造は、図１、図２に示すように、コンクリートの躯体１を有するビル系の建物等に設けられていた既設建具から障子を外した枠体（以下、既設枠という）２にて形成される開口２ａの内周側に、新たに引き違い窓用の建具（以下、新設建具という）３が設けられている。ここで、新設建具３は、例えば、一戸建て住宅に設けられている既設建具の障子を外した枠体にて形成される開口の内周側に、新たに引き違い窓を設けるための改装用の新設建具３である。一戸建て住宅の建具は、建物の躯体から室外側に張り出して施工されるため、躯体と連結部は室内側に設けられている。
【００２０】
以下の説明においては、建物等に取り付けられた状態の既設枠２及び新設建具３を室内
側から見たときに、上下となる方向を上下方向、左右となる方向を左右方向、室内外方向
である奥行き方向を見込み方向として示す。改装窓構造の各部位であっても、また、改装
窓構造を構成する各部材については単体の状態であっても、建物等に取り付けられた状態で上下方向、左右方向、見込み方向となる方向にて方向を特定して説明する。また、既設枠２及び新設建具３が備える新設枠３０はいずれも矩形状に枠組みされているので、矩形の内側を内周側、外側を外周側として説明する。
【００２１】
新設建具３は、既設枠２の内周側に取り付けられる新設枠３０と、新設枠３０にスライド自在に設けられる２枚の障子５とを有している。新設枠３０は、押出成形材でなる新設上枠３１、新設下枠３２及び左右の新設縦枠３３が枠組みされて矩形状をなしている。新設上枠３１、新設下枠３２及び左右の新設縦枠３３は各々、アタッチメント６、７、８を介して取り付けられている。また、既設枠２と新設枠３０とは、室内側の端部同士が、可撓性を有する合成ゴム製の防水シート９により全周に亘って連結されてシールされている。ここで、既設枠２及び新設枠３０の周方向に繋がっている防水シート９においては、周方向と交差する方向を幅方向として説明する。
【００２２】
既設枠２は、押出成形材でなる既設上枠２１、既設下枠２２及び左右の既設縦枠２３が枠組みされて矩形状をなしている。既設上枠２１、既設下枠２２及び左右の既設縦枠２３は、長手方向に沿って各々全長に亘って設けられ、外周側に突出して躯体１に設けられているアンカー４と接合される既設接合部２１ａ、２２ａ、２３ａが、室内側と室外側との２箇所に設けられている。
【００２３】
図３に示すように、既設上枠２１は、室外側の既設接合部２１ａから垂設されて室外側の端部をなす既設上室外壁部２１ｂと、室内側の既設接合部２１ａから垂設された既設上室内壁部２１ｃとを有している。既設上室外壁部２１ｂと既設上室内壁部２１ｃとの間には、既設建具の引き違い障子が案内される２つの既設上レール２１ｄが内周側に突出させて設けられている。
【００２４】
また、既設上室外壁部２１ｂと室外側の既設上レール２１ｄ、２つの既設上レール２１ｄ、室内側の既設上レール２１ｄと既設上室内壁部２１ｃは、各々見込み方向に間隔を空けて設けられて、各々上端部側が連結されている。既設上室外壁部２１ｂ、２つの既設上レール２１ｄ、及び、既設上室内壁部２１ｃの下端はほぼ同じ高さに位置している。また、既設上室外壁部２１ｂは、既設建具が備える網戸の既設網戸上レールをなしている。
【００２５】
既設上室外壁部２１ｂと躯体１との間にシーリング材１ａが充填されている。また、既設上室内壁部２１ｃからは室内方向に向かって延出された既設上枠延出部２１ｅが設けられており、既設上室内壁部２１ｃの既設上枠延出部２１ｅより上側の部位が、既設枠２が設けられている建物開口の室内側に全周にわたって設けられている既設額縁２４の室外側の端面２４ａと対向し、既設上枠延出部２１ｅが既設額縁２４の室外側の部位を内周側から覆っている。既設上枠２１においては、見込み方向において既設上室外壁部２１ｂから既設上枠延出部２１ｅの室内側の縁までが、見込み幅の範囲に相当する。
【００２６】
新設上枠３１は、見込み方向に沿う上面を形成する新設上面部３１ａと、新設上面部３１ａの下にて見込み方向に沿う下面を形成する新設下面部３１ｂと、新設下面部３１ｂの室外側の縁から上下に各々延出されて鉛直面を形成する新設上室外壁部３１ｃと、新設下面部３１ｂの室内側の縁から上下に各々延出されて鉛直面を形成する新設上室内壁部３１ｄと、新設下面部３１ｂから垂設された新設上室外レール３１ｅ及び新設上室内レール３１ｆと、新設下面部３１ｂから新設上室内レール３１ｆの上方に延出されて新設上面部３１ａと繋がる新設上中央リブ３１ｇと、新設上室外レール３１ｅと新設上室内レール３１ｆとの間から上方に延出されて新設上面部３１ａと繋がる新設上室外リブ３１ｈと、を有している。
【００２７】
新設上室内壁部３１ｄは、上端が新設上面部３１ａと繋がっており、新設上面部３１ａは、新設上室外リブ３１ｈより室外側に突出し、また、新設上室内壁部３１ｄより室内側に突出している。一戸建て住宅の改装用の本新設建具３の新設上枠３１には、新設上面部３１ａの新設上室内壁部３１ｄより室内側に突出している部位に、新設上枠３１をビスにて固定するための固定部が設けられている。
【００２８】
新設上枠３１は、上アタッチメント６及びアンカー４を介して躯体１に固定されている。新設上室外壁部３１ｃの下側に延出されている部位は、新設建具３が有する網戸３ａを案内する新設網戸上レールをなしている。
【００２９】
上アタッチメント６は、新設上枠３１の新設上面部３１ａと対向する平坦な見込み面６ｆを形成する上見込壁部６ａと、上見込壁部６ａと繋がって室外側に設けられ既設上枠２１に設けられた２本の既設上レール２１ｄ間にて上方に窪む上凹部６ｂと、上凹部６ｂの室外側に設けられ室外側の既設上レール２１ｄと係合する上室外係合片６ｃと、上見込壁部６ａの室内側の縁から上方に延出された上方延出部６ｄと、を有している。上見込壁部６ａには、見込み方向に互いに間隔を空けて新設上枠３１の長手方向に沿う線状に形成された薄肉部でなる折り取り部６ｅが複数設けられている。
【００３０】
新設上枠３１の固定方法は、まず既設上枠２１の既設上室内壁部２１ｃにおける室外側の面に防水シート９の幅方向にける一方の端部を両面テープ等で新設上枠３１の全長に亘って接着する。
【００３１】
次に、上アタッチメント６を取り付ける。上アタッチメント６は、上凹部６ｂの室内側及び室外側が既設上枠２１の２本の既設上レール２１ｄの下端に下方から当接されるとともに、上室外係合片６ｃが既設上枠２１の室外側の既設上レール２１ｄに係合されて位置決めされて配置される。上アタッチメント６においては、上室外係合片６ｃが見込み方向の位置決め部に相当する。位置決めされた上アタッチメント６は、上見込壁部６ａが既設上枠２１の室内側の縁よりも室内側に突出している。
【００３２】
次に、上凹部６ｂ及び既設上枠２１に設けられた貫通孔（不図示）を下方から貫通するビス１０をアンカー４に螺合して上アタッチメント６を固定する。上アタッチメント６においては、上凹部６ｂが構造体としての躯体１と、既設上枠２１の見込み幅内にて連結される第一連結部に相当する。
【００３３】
締め込まれたビス１０の頭部１０ａは、上凹部６ｂ内に収容されており、開口２ａの内周側に位置する見込み面６ｆより下方には突出しない。また、上アタッチメント６を取り付ける際には、防水シート９を、既設上室内壁部２１ｃの下端と上見込壁部６ａとの間を通し、更に上方延出部６ｄの上側を通して室内側に引き出しておく。
【００３４】
次に、上アタッチメント６の上見込壁部６ａと、新設上枠３１の新設上面部３１ａとの間に飼い木１１を介在させるとともに、新設上枠３１を配置する。このとき、新設上枠３１は、新設上面部３１ａの室内側の縁が、既設上枠２１よりも室内側に突出し、上アタッチメント６の上見込壁部６ａの室内側の縁と、ほぼ同じ位置まで突出している。
【００３５】
次に、新設上枠３１の新設上面部３１ａの下方から飼い木１１を貫通させたビス１２を上アタッチメント６の上見込壁部６ａに螺合させて新設上枠３１を上アタッチメント６に固定する。このとき、新設上枠３１には、室外側における既設上枠２１と新設上枠３１との間を覆う上カバー材１３を固定する為の上アングル材１７が予め取り付けられている。上アタッチメント６においては、上見込壁部６ａが新設枠３０の新設上枠３１と連結される第二連結部に相当する。
【００３６】
次に、室内側に引き出されている防水シート９の幅方向における他方の端部を、新設上枠３１の新設上面部３１ａの下面に両面テープ等で接着する。このとき、接着後の防水シート９に、新設上枠３１を固定するビス１２の先端が接触にしないように、上方延出部６ｄの上下方向の長さがビス１２の長さより長く設定されている。上アタッチメント６においては、上方延出部６ｄが隔離片に相当する。
【００３７】
図４に示すように、既設下枠２２は、室外側の既設接合部２２ａの近傍から立設された既設下外レール２２ｂと、室内側の既設接合部２２ａから立設された既設下室内壁部２２ｃとを有している。既設下外レール２２ｂと既設下室内壁部２２ｃとの間は、既設下外レール２２ｂ側が低く既設下室内壁部２２ｃ側が高い段差を有する連結底部２２ｄを有しており、連結底部２２ｄにおいて既設下室内壁部２２ｃ側の高い部位に上方に立設する既設下内レール２２ｅが設けられている。既設下外レール２２ｂの室外側には、既設下外レール２２ｂより低い位置に当該既設下外レール２２ｂと間隔を開けて網戸が案内される既設網戸下レール２２ｆが設けられており、既設下外レール２２ｂと既設網戸下レール２２ｆとを繋ぐ部位と躯体１との間にシーリング材１ａが充填されている。
【００３８】
また、既設下室内壁部２２ｃの上縁からは室内方向に向かって延出された既設下枠延出部２２ｇが設けられており、既設下室内壁部２２ｃが、既設額縁２４の室外側の端面２４ａと対向し、既設下枠延出部２２ｇが既設額縁２４の室外側の端部を内周側から覆っている。既設下枠２２においては、見込み方向において既設網戸下レール２２ｆから既設下枠延出部２２ｇの室内側の縁までが、見込み幅の範囲に相当する。
【００３９】
新設下枠３２は、見込み方向に間隔を空けて立設された新設下室外レール３２ａ及び新設下室内レール３２ｂと、新設下室外レール３２ａの室外側に間隔を空けて設けられ網戸３ａを案内する新設網戸下レール３２ｃと、新設下室内レール３２ｂの室内側に間隔を空けて設けられて鉛直面を形成する新設下室外壁部３２ｄと、が見込み方向に連結されており、新設下室外レール３２ａの下には、室外側における既設下枠２２と新設下枠３２との間を覆う下カバー材１４が嵌合される下カバー嵌合部３２ｅが設けられている。
【００４０】
新設下室外壁部３２ｄの下縁には、室内側に向かって延出された新設下室内延出部３２ｆが設けられている。一戸建て住宅の改装用の本新設建具３の新設下枠３２には、新設下室内延出部３２ｆの室内側の部位に、新設下枠３２をビスにて固定するための固定部が設けられている。新設下枠３２は、下アタッチメント７を介して既設枠２及び既設額縁２４に固定され、既設枠２がアンカー４を介して躯体１に固定されている。
【００４１】
下アタッチメント７は、縦断面がＬ字状をなし、既設額縁２４を覆っている既設下枠延出部２２ｇ及び既設額縁２４の上面と対向させて配置され平坦な見込み面７ｃを形成する見込み板部７ａと、見込み板部７ａの室外側の縁から垂設されている垂設壁部７ｂとを有している。見込み板部７ａの室内側の縁は、既設下枠延出部２２ｇの室内側の縁より室内側に位置しており、垂設壁部７ｂは、既設下外レール２２ｂと既設下室内壁部２２ｃとの間に形成された段差を繋ぐ既設中央壁部２２ｈに室外側から当接されて位置決めされ、室外側から進入するビス１５により既設下内レール２２ｅに固定されている。
【００４２】
見込み板部７ａ及び垂設壁部７ｂには、見込み方向に互いに間隔を空けて新設下枠３２の長手方向に沿う線状に形成された薄肉部でなる折り取り部７ｄが複数設けられており、既設下枠２２の形状及び施工箇所の躯体の状況などに応じて折り取り部７ｄより先端側を折り取る、或いは、カッター等で切り離すことにより、見込み板部７ａ及び垂設壁部７ｂの長さを変更することが可能である。本実施形態の下アタッチメント７は、縦断面がＬ字状をなしているが、取り付けられる前の下アタッチメント７は、見込み板部７ａの室内側の縁から垂設させて、新設下枠３２を固定するビスの先端が防水シート９に接触にしないような隔離片が設けられても構わない。
【００４３】
新設下枠３２の固定方法は、まず既設下枠２２の新設下室外壁部３２ｄの上部及び既設下枠延出部２２ｇの上面に防水シート９の幅方向にける一方の端部を両面テープ等で新設下枠３２の全長に亘って接着する。このとき防水シート９は、室内側に延ばしておく。
【００４４】
次に、下アタッチメント７を取り付ける。下アタッチメント７は、垂設壁部７ｂを既設中央壁部２２ｈに室外側から当接すると共に見込み板部７ａを防水シート９上に載置して位置決めする。下アタッチメント７においては、垂設壁部７ｂが見込み方向の位置決め部に相当する。このとき、下アタッチメント７の見込み板部７ａは、既設下枠２２の室内側の縁、すなわち既設下枠延出部２２ｇの室内側の縁より室内側に突出している。
【００４５】
次に、垂設壁部７ｂの下端側の部位を室外側から貫通するビス１５を既設下内レール２２ｅに螺合して下アタッチメント７を既設下枠２２に固定する。下アタッチメント７においては、垂設壁部７ｂが既設枠２の既設下枠２２と、既設下枠２２の見込み幅内にて連結される第一連結部に相当する。
【００４６】
次に、新設下枠３２を、新設下室内延出部３２ｆの室内側の縁を下アタッチメント７の見込み板部７ａの室内側の縁と揃えて配置し、既設下枠２２よりも室内側に突出している、新設下室内延出部３２ｆの上方から下アタッチメント７の見込み板部７ａ及び既設額縁２４にビス１２を螺合させて新設下枠３２を下アタッチメント７に固定する。下アタッチメント７においては、見込み板部７ａが新設枠３０の新設下枠３２と連結される第二連結部に相当する。
次に、室内側に延ばされている防水シート９の幅方向における他方の端部を、新設下枠３２の新設下室内延出部３２ｆの上面に両面テープ等で接着する。
【００４７】
図５に示すように、既設縦枠２３は、室外側の既設接合部２３ａから内周側に延出されて室外側の端部をなす既設縦室外壁部２３ｂと、室内側の既設接合部２３ａから内周側に延出された既設縦室内壁部２３ｃとを有している。既設縦室外壁部２３ｂと既設縦室内壁部２３ｃとは、左右方向における中央近傍にて鉛直な既設縦壁部２３ｄにより連結されており、既設縦壁部２３ｄには既設建具の引き違い障子が係合される既設縦係合片２３ｅが内周側に突出させて設けられている。ここで、左側の既設縦枠２３と右側の既設縦枠２３とは、既設縦係合片２３ｅの見込み方向における位置が相違している。
【００４８】
既設縦室外壁部２３ｂと躯体１との間にシーリング材１ａが充填されている。また、既設縦室内壁部２３ｃからは室内方向に向かって延出された既設縦枠延出部２３ｆが既設縦壁部２３ｄと繋がるように設けられており、既設縦室内壁部２３ｃの既設縦枠延出部２３ｆより外周側の部位が、既設額縁２４の室外側の端面２４ａと対向し、既設縦枠延出部２３ｆが既設額縁２４の室外側の端部を内周側から覆っている。既設縦枠２３においては、見込み方向において既設縦室外壁部２３ｂから既設縦枠延出部２３ｆの室内側の縁までが、見込み幅の範囲に相当する。
【００４９】
新設縦枠３３は、見込み方向に沿う外周面を形成する新設外面部３３ａと、新設外面部３３ａの内周側にて見込み方向に沿う内周面を形成する新設内面部３３ｂと、新設内面部３３ｂの室外側の縁から左右に各々延出されて鉛直面を形成する新設縦室外壁部３３ｃと、新設内面部３３ｂの室内側の縁から左右に各々延出されて鉛直面を形成する新設縦室内壁部３３ｄと、新設内面部３３ｂから内周側に延出されて新設障子５が係合される新設縦係合部３３ｅと、新設内面部３３ｂから外周側に延出されて新設外面部３３ａと繋がる新設縦リブ３３ｆと、を有している。
【００５０】
新設縦室内壁部３３ｄは、外周側の端が新設外面部３３ａと繋がっており、新設外面部３３ａは、新設縦リブ３３ｆより室外側に突出し、また、新設縦室内壁部３３ｄより室内側に突出している。一戸建て住宅の改装用の本新設建具３の新設縦枠３３には、新設外面部３３ａの新設縦室内壁部３３ｄより室内側に突出している部位に、新設縦枠３３をビスにて固定するための固定部が設けられている。新設縦枠３３は、縦アタッチメント８及びアンカー４を介して躯体１に固定されている。
【００５１】
縦アタッチメント８は、新設縦枠３３の新設外面部３３ａと対向する平坦な見込み面８ｆを形成する外見込壁部８ａと、外見込壁部８ａの室外側の縁から外周側に延出されたアタッチメント室外壁部８ｂと、アタッチメント室外壁部８ｂから室外側に延出された室外延出部８ｃと、外見込壁部８ａの室内側の縁から外周側に延出されたアタッチメント室内壁部８ｄとを有している。外見込壁部８ａには、見込み方向に互いに間隔を空けて新設縦枠３３の長手方向に沿う線状に形成された薄肉部でなる折り取り部８ｅが複数設けられている。
【００５２】
新設縦枠３３の固定方法は、まず既設縦枠２３の既設縦室内壁部２３ｃにおける室外側の面に防水シート９の幅方向にける一方の端部を両面テープ等で新設縦枠３３の全長に亘って接着する。
【００５３】
次に、縦アタッチメント８を取り付ける。縦アタッチメント８は、室外延出部８ｃが既設縦壁部２３ｄに内周側から当接されるとともに、アタッチメント室外壁部８ｂが既設縦枠２３の既設縦室内壁部２３ｃに室外側から当接されて位置決めされて配置される。縦アタッチメント８においては、アタッチメント室外壁部８ｂが見込み方向の位置決め部に相当する。このとき、縦アタッチメント８の外見込壁部８ａは、既設縦枠２３の室内側の縁、すなわち既設縦枠延出部２３ｆより室内側に突出している。
【００５４】
次に、室外延出部８ｃを内周側から貫通するビス１０をアンカー４に螺合させて縦アタッチメント８を固定する。縦アタッチメント８においては、室外延出部８ｃが構造体としての躯体１と、既設縦枠２３の見込み幅内にて連結される第一連結部に相当する。
【００５５】
締め込まれたビス１０は、外見込壁部８ａより内周側には突出しない。また、縦アタッチメント８を取り付ける際には、防水シート９を、既設縦室内壁部２３ｃの内周側の端と外見込壁部８ａとの間を通し、更にアタッチメント室内壁部８ｄの外周側を通して室内側に引き出しておく。
【００５６】
次に、縦アタッチメント８の外見込壁部８ａと、新設縦枠３３の外見込壁部８ａとの間に飼い木１６を介在させるとともに、新設縦枠３３を配置する。このとき、新設縦枠３３の新設外面部３３ａの室内側の縁は、既設縦枠２３よりも室内側に突出し、縦アタッチメント８の外見込壁部８ａの室内側の縁と、ほぼ同じ位置まで突出している。
【００５７】
次に、新設縦枠３３の新設外面部３３ａの下方から飼い木１１を貫通させたビス１２を縦アタッチメント８の外見込壁部８ａに螺合させて新設縦枠３３を縦アタッチメント８に固定する。このとき、新設縦枠３３には、室外側における既設縦枠２３と新設縦枠３３との間を覆う縦カバー材２０を予め取り付けておく。縦アタッチメント８においては、外見込壁部８ａが新設枠３０の新設縦枠３３と連結される第二連結部に相当する。
【００５８】
次に、室内側に引き出されている防水シート９の幅方向における他方の端部を、新設縦枠３３の新設外面部３３ａの内周側の面に両面テープ等で接着する。このとき、接着後の防水シート９に、新設縦枠３３を固定するビス１２の先端が接触にしないように、アタッチメント室内壁部８ｄの左右方向の長さがビス１２の長さより長く設定されている。縦アタッチメント８においては、アタッチメント室内壁部８ｄが隔離片に相当する。
【００５９】
本実施形態の改装窓構造によれば、上アタッチメント６は、アンカー４を介して躯体１に連結され、新設上枠３１は既設上枠２１より室内側にて上アタッチメント６と連結され、下アタッチメント７は、既設下枠２２及びアンカー４を介して躯体１に連結され、新設下枠３２は既設下枠２２より室内側にて下アタッチメント７と連結され、縦アタッチメント８は、アンカー４を介して躯体１に連結され、新設縦枠３３は既設縦枠２３より室内側にて縦アタッチメント８と連結されている。このため、既設枠２の見込み幅の範囲に、固定部が配置されていない新設枠３０を、アタッチメント６、７、８を介することにより既設枠２が備えられている躯体１に強固に取り付けることが可能である。すなわち、既設枠２より室内側に構造体が設けられていない場合であっても、既設窓を改装することが可能な改装窓構造を提供することが可能である。このため、室内側に固定部が設けられている安価な一戸建て住宅の改装枠を備えた改装用の新設建具３を取り付けてコストを低減することが可能である。
【００６０】
また、上アタッチメント６の上凹部６ｂ及び縦アタッチメント８の室外延出部８ｃをアンカー４に固定しているビス１０より開口２ａの内周側に見込み面６ｆ、８ｆが形成されているので、見込み面６ｆ、８ｆに沿わせて既設枠２の内周側に挿入することにより新設枠３０を容易に配置することが可能である。
【００６１】
また、上アタッチメント６は、室外側の既設上レール２１ｄと係合して見込み方向の移動が規制される上室外係合片６ｃを有しており、下アタッチメント７は、既設中央壁部２２ｈと係合して見込み方向の移動が規制される垂設壁部７ｂを有しており、縦アタッチメント８は、既設縦室内壁部２３ｃと係合して見込み方向の移動が規制されるアタッチメント室外壁部８ｂを有しているので、各アタッチメント６、７、８を容易に適正な位置に配置することが可能である。
【００６２】
また、既設上枠２１と新設上枠３１との間、既設下枠２２と新設下枠３２との間、既設縦枠２３と新設縦枠３３との間、いずれも室内側にて防水シート９により繋がっているので、既設枠２と新設枠３０との間からの水の浸入を防止することが可能である。また、既設枠２と新設枠３０とはシート材でなる防水シート９が接着されて繋がっているので、防水シート９を接着するだけで容易に水密・気密を確保することが可能である。
【００６３】
また、防水シート９の幅方向における一方の端部が新設上枠３１及び新設縦枠３３の室内側の端部に接着され、上見込壁部６ａ及び新設外面部３３ａの室内側の端部に螺合されているビス１２の先端側を回り込んで既設上枠２１及び既設縦枠２３と接着されている防水シート９は、上アタッチメント６に設けられた上方延出部６ｄ及び縦アタッチメント８に設けられたアタッチメント室内壁部８ｄによりビス１２の先端との間隔が保たれているので、ビス１２の先端により防水シート９は損傷されない。このため、高い止水性を備えることが可能である。
【００６４】
また、上アタッチメント６の上見込壁部６ａ及び縦アタッチメント８の外見込壁部８ａはビス１２の進入方向に互いに間隔を空けて進入方向と交差する新設上枠３１及び新設縦枠３３の長手方向に沿う折り取り部６ｅ、８ｅを有しているので、折り取り部６ｅ、８ｅに沿って上見込壁部６ａ及び外見込壁部８ａの一部を折り取る、或いは、カッター等で切り離すことが可能である。このため、例えば、図６に示すように、ビス１２が防水シート９を損傷させる虞がない場合や、長さを調節する必要がある場合には、折り取り部８ｅにて外見込壁部８ａの一部を折り取る、或いは、カッター等で切り離して外見込壁部８ａの長さを調節して用いることが可能である。このため、汎用性が高いアタッチメント６、８を備えた改装窓構造を提供することが可能である。
【００６５】
上記実施形態においては、新設建具３として、一戸建て住宅に設けられている既設建具の障子を外した枠体にて形成される開口の内周側に、新たに引き違い窓を設けるための改装用の新設建具３を例に挙げて説明したが、これに限らず、室内側に取り付け用の固定部が設けられている新設枠を備えた改装用の建具であれば構わない。このため、引き違い窓に限らず、開き窓、上げ下げ窓など、何れに形態であっても構わない。
【００６６】
上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００６７】
１  躯体、２  既設枠、２ａ  開口、４  アンカー、６  上アタッチメント、
６ａ  上見込壁部、６ｂ  上凹部、６ｃ  上室外係合片、６ｄ  上方延出部、
６ｅ  折り取り部、６ｆ  見込み面、７  下アタッチメント、７ａ  見込み板部、
７ｂ  垂設壁部、７ｃ  見込み面、７ｄ  折り取り部、８  縦アタッチメント、
８ａ  外見込壁部、８ｂ  アタッチメント室外壁部、８ｃ  室外延出部、
８ｄ  アタッチメント室内壁部、８ｅ  折り取り部、８ｆ  見込み面、
９  防水シート、１０  ビス、１２  ビス、２１  既設上枠、
２２  既設下枠、２３  既設縦枠、３０  新設枠、３１  新設上枠、
３１ａ  新設上面部、３２  新設下枠、３２ｆ  新設下室内延出部、
３３  新設縦枠、３３ａ  新設外面部、
【図１】
2019157383.tif 000003
【図２】
2019157383.tif 000004
【図３】
2019157383.tif 000005
【図４】
2019157383.tif 000006
【図５】
2019157383.tif 000007
【図６】
2019157383.tif 000008